(57)【要約】【課題】インナーソックス着用時のずれを防止し見栄えをよくする。【解決手段】インナーソックス１００は、足指を個別に収納して、各足指の先端を表出させるための５本の筒状挿入部２と、前記筒状挿入部２と挿通するように連結されて、足に着用した際に足裏から踵部を覆うと共に、足の甲２２を表出させるように上方を開口した本体部１とを備え、前記筒状挿入部２と本体部１を吸湿性のある生地で一体的に縫製すると共に、前記本体部１の開口部３に弾性部材５を設けており、かつ着用時に靴を履いた状態でインナーソックス１００が外部に表出しないように開口部３を大きく形成している。これによって、筒状挿入部２に足指を挿入してインナーソックス１００は確実に保持されるので、足を動かしても靴の内部でずれることがなく、インナーソックス１００が外部に表出することを防止できる。【選択図】図４
2004270122.tif 000002
【特許請求の範囲】
【請求項１】
足指(21)を個別に収納して、各足指(21)の先端を表出させるための５本の筒状挿入部(2)と、
前記筒状挿入部（2)と挿通するように連結されて、足に着用した際に足裏から踵部を覆うと共に、足の甲(22)を表出させるように上方を開口した本体部(1)とを備え、
前記筒状挿入部(2)と本体部(1)を吸湿性のある生地で一体的に縫製すると共に、前記本体部(1)の開口部(3)に弾性部材(5)を設けており、
かつ着用時に靴を履いた状態でインナーソックス(100)が外部に表出しないように開口部(3)を大きく形成してなることを特徴とするインナーソックス。
【請求項２】
請求項１に記載のインナーソックスであって、前記生地を肌色とすることを特徴とするインナーソックス。
【請求項３】
請求項１または２に記載のインナーソックスであって、前記生地を伸縮性のある素材で構成したことを特徴とするインナーソックス。
【請求項４】
請求項１から３のいずれかに記載のインナーソックスであって、前記生地に抗菌処理または防臭処理を施したことを特徴とするインナーソックス。
【発明の詳細な説明】
【技術分野】
【０００１】
本発明は、ストッキングやタイツ、ソックスといった足に履く靴下類に含まれるインナーソックスに関し、特に足に直接履くタイプのインナーソックスに関する。
【背景技術】
【０００２】
インナーソックスは、靴下等と同様に足に直接履くことを主目的にしたものであり、素足に直接履き、必要に応じてその上からさらに靴下やストッキングを履いて使用する。例えば素足でストッキングを履こうとすると、角質でがさがさになった足の裏や踵にストッキングが引っ掛かって破れることがある。また、靴下やストッキング、タイツなどを履いていると、足指の間の汗で蒸れることがあった。さらに寒い季節にストッキングの上から靴下等を履くと蒸れる上に格好悪くなる。このようなことを防止するために、吸湿性のよいインナーソックスが使用されるようになった。特に、足に着用した状態でも外からは着用していることが見えないタイプが女性に好まれている。このため、ハイヒールのように足の甲部分が多く露出する靴類であっても、インナーソックスを着用していることが外見から見えないように、図５に示すような丈を短くしたインナーソックス６００が開発されている。このインナーソックス６００は、着用した状態でハイヒールの露出部分よりも開口が大きくなるため、図６に示すようにインナーソックス６００が完全にハイヒール６１０の内側に隠れ、外部からインナーソックス６００を視認できない。ただ、このタイプのインナーソックスは、インナーソックスの前後が浅いため、爪先と踵がインナーソックスの前後に僅かにかかるだけでずれ易いという欠点があった。着用したままでインナーソックスがずれると、図７に示すようにハイヒール６１０の開口部６２０からインナーソックス６００が露出し、見栄えが非常に悪くなる。
【０００３】
この問題を解決するために、特許文献１のようなインナーソックスが開発されている。このインナーソックス７００は図８に示すように前後に深めの膨出部７０２を形成しており、足の爪先と踵の部分を前後の膨出部内に入れて引っ掛かりをよくし、使用中のずれを防止するものである。しかしながら、このインナーソックス７００でもずれを十分に防止することができず、早足で歩くなど足を大きく動かすと徐々に着用位置がずれ、一部がハイヒール７００から露出するようになることがあった。また、使用を重ねるうちにインナーソックスのゴムが伸びるなど、弾性力が失われるにつれてずれも大きくなる問題もあった。
【特許文献１】実開平６−４２９０３号公報
【発明の開示】
【発明が解決しようとする課題】
【０００４】
本発明は、このような問題点を解決するためになされたものである。本発明の主な目的は、着用時のずれを確実に防止して見栄えのよいインナーソックスを提供することにある。
【課題を解決するための手段】
【０００５】
以上の目的を達成するために、本発明のインナーソックスは、足指２１を個別に収納して、各足指２１の先端を表出させるための５本の筒状挿入部２と、前記筒状挿入部２と挿通するように連結されて、足に着用した際に足裏から踵部を覆うと共に、足の甲２２を表出させるように上方を開口した本体部１とを備え、前記筒状挿入部２と本体部１を吸湿性のある生地で一体的に縫製すると共に、前記本体部１の開口部３に弾性部材５を設けており、かつ着用時に靴を履いた状態でインナーソックス１００が外部に表出しないように開口部３を大きく形成している。これによって、筒状挿入部２に足指２１を挿入してインナーソックスは確実に保持されるので、足を動かしても靴の内部でずれることがなく、インナーソックスが外部に表出することを防止できる。また、５本の指をそれぞれ挿入する筒状挿入部２の先端をカットすることによって、着用時に足指２１の開放感が得られる。
【０００６】
またインナーソックスは、生地を肌色とすることで、インナーソックスをさらに目立たせ難くできる。さらにインナーソックスは、生地を伸縮性のある素材で構成して、快適なフィット感を得ることができる。また生地のサポートカを強化することによって、足の中指関節の緩みを締め付け、外反母址や内反小址を改善する効果も期待できる。さらにまたインナーソックスは、生地に抗菌処理または防臭処理を施すことで、より快適に履くことができる。
【発明の効果】
【０００７】
本発明のインナーソックスによれば、着用して使用中にずれることが防止されるので、足の甲部分が多く露出したハイヒールやパンプスに使用しても、靴の内部で確実に保持されてインナーソックスが外部に表出せず、見栄えよく使用できる。それは本発明が、足指毎に個別の筒状挿入部を備え、この部分で５本の足指の根元部分を確実に保持するからである。特に、筒状挿入部の先端を開放したことで、使用者の足指の長さにかかわらず指の付け根にフィットするという優れた利点が得られる。すなわち、足指の長さには個人差があるため、足指をすべて覆うタイプの５本指の靴下では足指の短い者では爪先部分が余ってしまい、一方足指の長い者では指の付け根部分が浮いてしまうことがあるが、本発明のインナーソックスでは筒状挿入部に足指を通す深さを調整して足指のつけ根部分にフィットさせることができ、足指の長さによらず確実に覆って着用できる。このため、特に滑り止め加工処理等を行わずとも、インナーソックスの形状自体で確実にずれを阻止できる。特に本発明のインナーソックスを足に直接履き、その上にストッキング等を履いても、足指の間や足の裏の汗を吸収して着用中の足の蒸れを防ぎ、水虫を予防する。さらに、踵のかさつきなどによってストッキングが伝線したり破れるのを防止できる。
【０００８】
さらにインナーソックス着用時に、各々の筒状挿入部に足指を１本１本通すことによってそれぞれの指の間が広がるため、外反母趾や内反小趾の予防効果も期待できる。また、足指の付け根にあたる生地によって、足指の間のマッサージ効果もあり、血行促進する。
【発明を実施するための最良の形態】
【０００９】
以下、本発明の実施の形態を図面に基づいて説明する。ただし、以下に示す実施の形態は、本発明の技術思想を具体化するためのインナーソックスを例示するものであって、本発明はインナーソックスを以下のものに特定しない。
【００１０】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
図１は、本発明の一実施の形態に係るインナーソックスの略平面図であり、図２は足２００に着用した状態を示す斜視図、図３はインナーソックスの上からストッキング３００を着用した状態を示す斜視図、さらに図４はこの状態で靴４００を履く状態を示す斜視図を、それぞれ示している。これらの図に示すように、インナーソックス１００は、本体部１と筒状挿入部２とを備える。筒状挿入部２は足指２１を個別に挿入するため、それぞれの指毎に５本を本体部１の先端に設けている。各筒状挿入部２は先端部分をカットして筒状としており、着用時に足指２１の先端が表出する。これによって、足指２１に開放感が得られると共に、各指を確実に保持して特に足指間の汗が吸収され、水虫予防に効果的である。各筒状挿入部２は、親指から小指まで、挿入される指の形状に応じてそれぞれ長さや内径が設計され、また左右の足の形に応じて左右それぞれの形状にインナーソックス１００が構成される。ここで筒状挿入部２の長さは目的に応じて調節でき、例えば非常に短くして足指の自由度を増したり、長くして保温効果を高める等、用途に応じた仕様とできる。
【００１２】
筒状挿入部２は、本体部１と挿通するように一体的に連結される。本体部１は、上方を開口して足の甲２２を表出させると共に、インナーソックス１００の丈を短くして靴４００の内部にインナーソックス１００が隠れるようにデザインされる。着用する靴の種類や大きさに応じて、開口部３の大きさや形状も設定される。また開口部３にはゴム等の弾性部材５を設けており、これによって足を挿入して着用すると、開口部分が足の甲２２に弾性的に密着し型くずれしないよう保持される。弾性部材５は、例えばゴム糸を編み込んで紐状や板状に形成する。同様に、筒状挿入部２の開口端にも、口ゴム部４が設けられて各足指２１に筒状挿入部２をフィットさせる。これらの弾性体や口ゴム部４は、図３に示すようにインナーソックス１００の上からストッキング３００等が着用されても目立たないように、ごく薄く編成するのが好ましい。
【００１３】
このインナーソックス１００を構成する生地は、綿、麻等の植物繊維や絹、羊毛等の動物繊維等の天然繊維、またはポリエステル、ナイロン、アクリル、ポリウレタン等の化学繊維から適宜選択された繊維を使用し、所望の編組織、織組織によって形成する。各部位にそれぞれ要求される伸縮性、弾力性、耐久性等を満足する縫製方法が適宜選択され、開口部３及び筒状挿入部２にはゴム糸等の弾性糸を適宜選択する。またストッキング３００等の中に履いても違和感がないように、柔軟性、ストレッチ性のあるごく薄い生地によって構成することが好ましい。さらに生地に抗菌処理や防臭処理を施すことで、さらに快適に使用できるようになる。甲部分をカットし、例えば、インナーソックス１００の製造過程において、キトサン、イオン繊維やヒノキエキス等の抗菌防臭繊維を生地に織り込む。さらにまた、夏場はシースルーなど通気性の良い素材や速乾性の素材、冬場は遠赤外線等の保温素材や発熱素材を生地として選択すると好適である。また詳述しないが、色や柄も適宜選択できる。好適には、生地を肌色に近い色とすることで、淡色の靴下類を履いたときでもインナーソックスを目立たせ難くできる。本発明の実施の形態では、素材の選択はこれらに限られず、従来インナーソックス１００や他の靴下類で利用されてきた素材や将来開発されるものが適宜利用できる。
【００１４】
このインナーソックス１００は、足の甲部分をカットして開口部３を大きくすることで、足に着用したときに図２に示すように足の甲２２や足首２３を覆わないごく浅い状態に着用される。また伸縮自在な生地で構成することによって足にフィットさせ、足の甲２２や足首２３を露出した状態でもずれたり脱げることのないように保持される。特にこの構成のインナーソックス１００は、筒状挿入部２が足指２１で固定されるため本体部１も保持され、ストッキング３００や靴４００の内部でずれることがほぼ完全に阻止され、使用中にずれてインナーソックスが部分的に外部に表出するといった格好の悪い事態が回避される。さらに、各足指毎に付け根を覆うため、足指の間の汗を確実に吸収し、ストッキング３００等の内側に着用しても蒸れを防ぎ、不快感を低減して爽やかさを保つ。特に足指間の吸湿効果によって水虫の繁殖を抑制し、蒸れによる悪臭の発生を抑える。このように、本発明は筒状挿入部２によって使用中のずれ防止と、足指の快適さとを実現している。特にずれを確実に防止することでインナーソックス本来の効果を損ねることなく発揮でき、足全体の汗を吸収し、また足の裏や踵をサポートするため疲れやむくみを予防し、ストッキング３００等着用中の疲労感を減少させる効果を確実に得ることができる。さらにこのインナーソックス１００は構成が比較的簡単であるため、安価に大量製造できる。
【００１５】
インナーソックス１００を着用すると、図２に示すように足の指が筒状挿入部２に個別に挿入され指先が出る形となる。このため挿入が容易であるという利点がある。従来より足指が個別に挿入される５本指靴下は存在したが、通常の靴下に比べて各指を挿入するため着用に時間がかかるという問題があった。特に指毎に袋部の奥まできちんと指先を到達させるのが手間であった。これに対して図２のインナーソックス１００では、先端部分を開口した筒状であるため、足指を出すだけで着用でき、通常の５本指靴下に比べ短時間で着用することができる。
【００１６】
さらにこの構成のインナーソックス１００は爪先を覆わない形状であるため、外側にストッキング３００を履いた状態でもペディキュアを見せることができ、サンダルなど足指先端を開放した履き物に利用してもファッショナブルさを損なわない。
【００１７】
また、つま先の圧迫感が苦手で靴下等が嫌いな人でも、本実施の形態のインナーソックス１００では先端が開放されているため圧迫感がなく、指先が使えるためグリップ性がよくなり、裸足に近い状態で快適に過ごすことができる。特に爪先を覆わないため、上からストッキングなどを着用しても重ね履き特有の圧迫感が軽減される。また足指２１を筒状挿入部２に個別に収納することにより、足指間を刺激して血行を促進する。さらに、足の裏を保護しながらも、指先の神経を適度に刺激するため、裸足教育を受けている子供にも好適に使用できる。
【００１８】
また図３に示すように、インナーソックス１００の上からストッキング３００を着用し、さらに図４に示すようにパンプスのような甲部分が広く開いた靴４００を履いても、インナーソックス１００が外側から見えないため、場所を選ばず使用することが可能である。特に、５本指タイプの靴下を履きたくても外見を気にして履けなかった使用者も、本実施の形態のインナーソックス１００であれば着用を他人に悟られず、快適に過ごすことができる。
【００１９】
以上説明したように、本発明はさまざまな悩みを抱える現代人の足の健康を考えたものであり、本発明によって、足指を出させる形状のインナーソックスを足に直接履き、外側に他の靴下類を着用しても快適に利用できるというメリットが享受される。特にインナーソックスを使用中にずれることが阻止されるため、保温や吸湿、抗菌、防臭といった各種機能を足に確実作用させ、冷え性にも効果的である。またインナーソックス着用によって、外側に履かれるストッキングやタイツ等の破れも回避される。
【産業上の利用可能性】
【００２０】
本発明のインナーソックスは、素足に着用してその上からストッキングやタイツ、ソックス等の既存の靴下類を履くことができ、インナーソックスが靴に隠れることで快適に利用できる。
【図面の簡単な説明】
【００２１】
【図１】本発明の一実施の形態に係るインナーソックスの略平面図である。
【図２】図１のインナーソックスを足に着用した状態を示す斜視図である。
【図３】図１のインナーソックスの上からストッキングを着用した状態を示す斜視図である。
【図４】図３の状態で靴を履いた状態を示す斜視図である。
【図５】従来のインナーソックスを示す斜視図である。
【図６】図５のインナーソックスを着用して靴を履いた状態を示す斜視図である。
【図７】インナーソックスの着用状態がずれて部分的に外部に表出する状態を示す斜視図である。
【図８】従来の他のインナーソックスを示す斜視図である。
【符号の説明】
【００２２】
１００…インナーソックス
１…本体部
２…筒状挿入部
３…開口部
４…口ゴム部
５…弾性部材
２００…足
２１…足指
２２…足の甲
２３…足首
３００…ストッキング
４００…靴
６００、７００…インナーソックス
６１０…ハイヒール
６２０…開口部
７０２…膨出部
【図１】
2004270122.tif 000003
【図２】
2004270122.tif 000004
【図３】
2004270122.tif 000005
【図４】
2004270122.tif 000006
【図５】
2004270122.tif 000007
【図６】
2004270122.tif 000008
【図７】
2004270122.tif 000009
【図８】
2004270122.tif 000010
【手続補正書】
【提出日】平成16年4月21日(2004.4.21)
【手続補正１】
【補正対象書類名】特許請求の範囲
【補正対象項目名】全文
【補正方法】変更
【補正の内容】
【特許請求の範囲】
【請求項１】
足指(21)を個別に収納して、各足指(21)の付け根を覆いつつ足指(21)を出させるための５本の筒状挿入部(2)と、
前記筒状挿入部（2)と挿通するように連結されて、足に着用した際に足裏から踵部を覆うと共に、足の甲(22)を表出させるように上方を開口した本体部(1)とを備え、
吸湿性のある生地で前記筒状挿入部(2)と本体部(1)とを縫製すると共に、前記本体部(1)の開口部(3)に弾性部材(5)を設けており、
かつ着用時に靴を履いた状態でインナーソックス(100)が外部に表出しないように開口部(3)を大きく形成してなることを特徴とするインナーソックス。
【手続補正２】
【補正対象書類名】明細書
【補正対象項目名】全文
【補正方法】変更
【補正の内容】
【発明の詳細な説明】
【技術分野】
【０００１】
本発明は、ストッキングやタイツ、ソックスといった足に履く靴下類に含まれるインナーソックスに関し、特に足に直接履くタイプのインナーソックスに関する。
【背景技術】
【０００２】
インナーソックスは、靴下等と同様に足に直接履くことを主目的にしたものであり、素足に直接履き、必要に応じてその上からさらに靴下やストッキングを履いて使用する。例えば素足でストッキングを履こうとすると、角質でがさがさになった足の裏や踵にストッキングが引っ掛かって破れることがある。また、靴下やストッキング、タイツなどを履いていると、足指の間の汗で蒸れることがあった。さらに寒い季節にストッキングの上から靴下等を履くと蒸れる上に格好悪くなる。このようなことを防止するために、吸湿性のよいインナーソックスが使用されるようになった。特に、足に着用した状態でも外からは着用していることが見えないタイプが女性に好まれている。このため、ハイヒールのように足の甲部分が多く露出する靴類であっても、インナーソックスを着用していることが外見から見えないように、図５に示すような丈を短くしたインナーソックス６００が開発されている。このインナーソックス６００は、着用した状態でハイヒールの露出部分よりも開口が大きくなるため、図６に示すようにインナーソックス６００が完全にハイヒール６１０の内側に隠れ、外部からインナーソックス６００を視認できない。ただ、このタイプのインナーソックスは、インナーソックスの前後が浅いため、爪先と踵がインナーソックスの前後に僅かにかかるだけでずれ易いという欠点があった。着用したままでインナーソックスがずれると、図７に示すようにハイヒール６１０の開口部６２０からインナーソックス６００が露出し、見栄えが非常に悪くなる。
【０００３】
この問題を解決するために、特許文献１のようなインナーソックスが開発されている。このインナーソックス７００は図８に示すように前後に深めの膨出部７０２を形成しており、足の爪先と踵の部分を前後の膨出部内に入れて引っ掛かりをよくし、使用中のずれを防止するものである。しかしながら、このインナーソックス７００でもずれを十分に防止することができず、早足で歩くなど足を大きく動かすと徐々に着用位置がずれ、一部がハイヒール７００から露出するようになることがあった。また、使用を重ねるうちにインナーソックスのゴムが伸びるなど、弾性力が失われるにつれてずれも大きくなる問題もあった。
【特許文献１】実開平６−４２９０３号公報
【発明の開示】
【発明が解決しようとする課題】
【０００４】
本発明は、このような問題点を解決するためになされたものである。本発明の主な目的は、着用時のずれを確実に防止して見栄えのよいインナーソックスを提供することにある。
【課題を解決するための手段】
【０００５】
以上の目的を達成するために、本発明のインナーソックスは、足指２１を個別に収納して、各足指２１の付け根を覆いつつ足指２１を出させるための５本の筒状挿入部２と、筒状挿入部２と挿通するように連結されて、足に着用した際に足裏から踵部を覆うと共に、足の甲２２を表出させるように上方を開口した本体部１とを備える。また、吸湿性のある生地で筒状挿入部２と本体部１とを縫製する。さらに、本体部１の開口部３に弾性部材５を設けている。加えて、着用時に靴を履いた状態でインナーソックス１００が外部に表出しないように開口部３を大きく形成している。
【０００６】
これによって、筒状挿入部に足指を挿入してインナーソックスは確実に保持されるので、足を動かしても靴の内部でずれることがなく、インナーソックスが外部に表出することを防止できる。また、５本の指をそれぞれ挿入する筒状挿入部の先端をカットすることによって、着用時に足指の開放感が得られる。またインナーソックスは、生地を肌色とすることで、インナーソックスをさらに目立たせ難くできる。さらにインナーソックスは、生地を伸縮性のある素材で構成して、快適なフィット感を得ることができる。また生地のサポートカを強化することによって、足の中指関節の緩みを締め付け、外反母址や内反小址を改善する効果も期待できる。さらにまたインナーソックスは、生地に抗菌処理または防臭処理を施すことで、より快適に履くことができる。
【発明の効果】
【０００７】
本発明のインナーソックスによれば、着用して使用中にずれることが防止されるので、足の甲部分が多く露出したハイヒールやパンプスに使用しても、靴の内部で確実に保持されてインナーソックスが外部に表出せず、見栄えよく使用できる。それは本発明が、足指毎に個別の筒状挿入部を備え、この部分で５本の足指の根元部分を確実に保持するからである。特に、筒状挿入部の先端を開放したことで、使用者の足指の長さにかかわらず指の付け根にフィットするという優れた利点が得られる。すなわち、足指の長さには個人差があるため、足指をすべて覆うタイプの５本指の靴下では足指の短い者では爪先部分が余ってしまい、一方足指の長い者では指の付け根部分が浮いてしまうことがあるが、本発明のインナーソックスでは筒状挿入部に足指を通す深さを調整して足指のつけ根部分にフィットさせることができ、足指の長さによらず確実に覆って着用できる。このため、特に滑り止め加工処理等を行わずとも、インナーソックスの形状自体で確実にずれを阻止できる。特に本発明のインナーソックスを足に直接履き、その上にストッキング等を履いても、足指の間や足の裏の汗を吸収して着用中の足の蒸れを防ぎ、水虫を予防する。さらに、踵のかさつきなどによってストッキングが伝線したり破れるのを防止できる。
【０００８】
さらにインナーソックス着用時に、各々の筒状挿入部に足指を１本１本通すことによってそれぞれの指の間が広がるため、外反母趾や内反小趾の予防効果も期待できる。また、足指の付け根にあたる生地によって、足指の間のマッサージ効果もあり、血行促進する。
【発明を実施するための最良の形態】
【０００９】
以下、本発明の実施の形態を図面に基づいて説明する。ただし、以下に示す実施の形態は、本発明の技術思想を具体化するためのインナーソックスを例示するものであって、本発明はインナーソックスを以下のものに特定しない。
【００１０】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
図１は、本発明の一実施の形態に係るインナーソックスの略平面図であり、図２は足２００に着用した状態を示す斜視図、図３はインナーソックスの上からストッキング３００を着用した状態を示す斜視図、さらに図４はこの状態で靴４００を履く状態を示す斜視図を、それぞれ示している。これらの図に示すように、インナーソックス１００は、本体部１と筒状挿入部２とを備える。筒状挿入部２は足指２１を個別に挿入するため、それぞれの指毎に５本を本体部１の先端に設けている。各筒状挿入部２は先端部分をカットして筒状としており、着用時に足指２１の先端が表出する。これによって、足指２１に開放感が得られると共に、各指を確実に保持して特に足指間の汗が吸収され、水虫予防に効果的である。各筒状挿入部２は、親指から小指まで、挿入される指の形状に応じてそれぞれ長さや内径が設計され、また左右の足の形に応じて左右それぞれの形状にインナーソックス１００が構成される。ここで筒状挿入部２の長さは目的に応じて調節でき、例えば非常に短くして足指の自由度を増したり、長くして保温効果を高める等、用途に応じた仕様とできる。
【００１２】
筒状挿入部２は、本体部１と挿通するように一体的に連結される。本体部１は、上方を開口して足の甲２２を表出させると共に、インナーソックス１００の丈を短くして靴４００の内部にインナーソックス１００が隠れるようにデザインされる。着用する靴の種類や大きさに応じて、開口部３の大きさや形状も設定される。また開口部３にはゴム等の弾性部材５を設けており、これによって足を挿入して着用すると、開口部分が足の甲２２に弾性的に密着し型くずれしないよう保持される。弾性部材５は、例えばゴム糸を編み込んで紐状や板状に形成する。同様に、筒状挿入部２の開口端にも、口ゴム部４が設けられて各足指２１に筒状挿入部２をフィットさせる。これらの弾性体や口ゴム部４は、図３に示すようにインナーソックス１００の上からストッキング３００等が着用されても目立たないように、ごく薄く編成するのが好ましい。
【００１３】
このインナーソックス１００を構成する生地は、綿、麻等の植物繊維や絹、羊毛等の動物繊維等の天然繊維、またはポリエステル、ナイロン、アクリル、ポリウレタン等の化学繊維から適宜選択された繊維を使用し、所望の編組織、織組織によって形成する。各部位にそれぞれ要求される伸縮性、弾力性、耐久性等を満足する縫製方法が適宜選択され、開口部３及び筒状挿入部２にはゴム糸等の弾性糸を適宜選択する。またストッキング３００等の中に履いても違和感がないように、柔軟性、ストレッチ性のあるごく薄い生地によって構成することが好ましい。さらに生地に抗菌処理や防臭処理を施すことで、さらに快適に使用できるようになる。甲部分をカットし、例えば、インナーソックス１００の製造過程において、キトサン、イオン繊維やヒノキエキス等の抗菌防臭繊維を生地に織り込む。さらにまた、夏場はシースルーなど通気性の良い素材や速乾性の素材、冬場は遠赤外線等の保温素材や発熱素材を生地として選択すると好適である。また詳述しないが、色や柄も適宜選択できる。好適には、生地を肌色に近い色とすることで、淡色の靴下類を履いたときでもインナーソックスを目立たせ難くできる。本発明の実施の形態では、素材の選択はこれらに限られず、従来インナーソックス１００や他の靴下類で利用されてきた素材や将来開発されるものが適宜利用できる。
【００１４】
このインナーソックス１００は、足の甲部分をカットして開口部３を大きくすることで、足に着用したときに図２に示すように足の甲２２や足首２３を覆わないごく浅い状態に着用される。また伸縮自在な生地で構成することによって足にフィットさせ、足の甲２２や足首２３を露出した状態でもずれたり脱げることのないように保持される。特にこの構成のインナーソックス１００は、筒状挿入部２が足指２１で固定されるため本体部１も保持され、ストッキング３００や靴４００の内部でずれることがほぼ完全に阻止され、使用中にずれてインナーソックスが部分的に外部に表出するといった格好の悪い事態が回避される。さらに、各足指毎に付け根を覆うため、足指の間の汗を確実に吸収し、ストッキング３００等の内側に着用しても蒸れを防ぎ、不快感を低減して爽やかさを保つ。特に足指間の吸湿効果によって水虫の繁殖を抑制し、蒸れによる悪臭の発生を抑える。このように、本発明は筒状挿入部２によって使用中のずれ防止と、足指の快適さとを実現している。特にずれを確実に防止することでインナーソックス本来の効果を損ねることなく発揮でき、足全体の汗を吸収し、また足の裏や踵をサポートするため疲れやむくみを予防し、ストッキング３００等着用中の疲労感を減少させる効果を確実に得ることができる。さらにこのインナーソックス１００は構成が比較的簡単であるため、安価に大量製造できる。
【００１５】
インナーソックス１００を着用すると、図２に示すように足の指が筒状挿入部２に個別に挿入され指先が出る形となる。このため挿入が容易であるという利点がある。従来より足指が個別に挿入される５本指靴下は存在したが、通常の靴下に比べて各指を挿入するため着用に時間がかかるという問題があった。特に指毎に袋部の奥まできちんと指先を到達させるのが手間であった。これに対して図２のインナーソックス１００では、先端部分を開口した筒状であるため、足指を出すだけで着用でき、通常の５本指靴下に比べ短時間で着用することができる。
【００１６】
さらにこの構成のインナーソックス１００は爪先を覆わない形状であるため、外側にストッキング３００を履いた状態でもペディキュアを見せることができ、サンダルなど足指先端を開放した履き物に利用してもファッショナブルさを損なわない。
【００１７】
また、つま先の圧迫感が苦手で靴下等が嫌いな人でも、本実施の形態のインナーソックス１００では先端が開放されているため圧迫感がなく、指先が使えるためグリップ性がよくなり、裸足に近い状態で快適に過ごすことができる。特に爪先を覆わないため、上からストッキングなどを着用しても重ね履き特有の圧迫感が軽減される。また足指２１を筒状挿入部２に個別に収納することにより、足指間を刺激して血行を促進する。さらに、足の裏を保護しながらも、指先の神経を適度に刺激するため、裸足教育を受けている子供にも好適に使用できる。
【００１８】
また図３に示すように、インナーソックス１００の上からストッキング３００を着用し、さらに図４に示すようにパンプスのような甲部分が広く開いた靴４００を履いても、インナーソックス１００が外側から見えないため、場所を選ばず使用することが可能である。特に、５本指タイプの靴下を履きたくても外見を気にして履けなかった使用者も、本実施の形態のインナーソックス１００であれば着用を他人に悟られず、快適に過ごすことができる。
【００１９】
以上説明したように、本発明はさまざまな悩みを抱える現代人の足の健康を考えたものであり、本発明によって、足指を出させる形状のインナーソックスを足に直接履き、外側に他の靴下類を着用しても快適に利用できるというメリットが享受される。特にインナーソックスを使用中にずれることが阻止されるため、保温や吸湿、抗菌、防臭といった各種機能を足に確実作用させ、冷え性にも効果的である。またインナーソックス着用によって、外側に履かれるストッキングやタイツ等の破れも回避される。
【産業上の利用可能性】
【００２０】
本発明のインナーソックスは、素足に着用してその上からストッキングやタイツ、ソックス等の既存の靴下類を履くことができ、インナーソックスが靴に隠れることで快適に利用できる。
【図面の簡単な説明】
【００２１】
【図１】本発明の一実施の形態に係るインナーソックスの略平面図である。
【図２】図１のインナーソックスを足に着用した状態を示す斜視図である。
【図３】図１のインナーソックスの上からストッキングを着用した状態を示す斜視図である。
【図４】図３の状態で靴を履いた状態を示す斜視図である。
【図５】従来のインナーソックスを示す斜視図である。
【図６】図５のインナーソックスを着用して靴を履いた状態を示す斜視図である。
【図７】インナーソックスの着用状態がずれて部分的に外部に表出する状態を示す斜視図である。
【図８】従来の他のインナーソックスを示す斜視図である。
【符号の説明】
【００２２】
１００…インナーソックス
１…本体部
２…筒状挿入部
３…開口部
４…口ゴム部
５…弾性部材
２００…足
２１…足指
２２…足の甲
２３…足首
３００…ストッキング
４００…靴
６００、７００…インナーソックス
６１０…ハイヒール
６２０…開口部
７０２…膨出部